(57)【特許請求の範囲】
【請求項１】
長手方向に延び、一端部側を握持に用するアームと、前記アームの長手方向にほぼ平行して前記アームに配置された台座部と、を備える薬剤塗布具において、前記台座部に塗布部材を着脱可能に保持する一対の押圧具を設け、一対の前記押圧具は前記塗布部材を前記台座部に当接させる押圧力を発生する反発具を備えることを特徴とする薬剤塗布具。
【請求項２】
前記台座部は前記アームの他端部またはその近傍に配置され、前記アームの他端側に前記アームを延在させる副アームを着脱自在に取付け、この副アームの端部も握持に用することを特徴とする請求項1に記載の薬剤塗布具。
【請求項３】
前記台座部を前記アームのほぼ中央部に配置し、前記アームの両端部をそれぞれ握持に用することを特徴とする請求項1に記載の薬剤塗布具。
【請求項４】
前記アームに溝を配置し、前記反発具を、少なくとも一部が前記溝内に嵌入して保持されるようにして配置することを特徴とする請求項１から３のいずれか１項に記載の薬剤塗布具。
【請求項５】
一対の前記押圧具のそれぞれの一端部側をつまみ部に形成し、前記反発具は、一端部が各前記押圧具のつまみ部の背面側を押圧し、他端部が前記アームに固定された、前記アームに設けた軸に巻回されるキックバネであることを特徴とする請求項１から３のいずれか１項に記載の薬剤塗布具。
【請求項６】
一対の前記押圧具のそれぞれの一端部側をつまみ部に形成し、前記反発具は、両端部が各前記押圧具のつまみ部の背面側に固定される板バネであることを特徴とする請求項１から３のいずれか１項に記載の薬剤塗布具。
【請求項７】
前記反発具は、前記アームに保持することなく前記押圧具のみに固定されることを特徴とする請求項6に記載の薬剤塗布具。
【請求項８】
前記台座部は前記アームの他端部またはその近傍に配置され、一対の前記押圧具の一方が、前記アームの他端より外側に設けられることを特徴とする請求項1に記載の薬剤塗布具。
【請求項９】
前記アームの少なくとも一端部側に、前記アームの他の部位と形状および／または材質の異なる握持部が設けられることを特徴とする請求項１から８のいずれか１項に記載の薬剤塗布具。
【請求項１０】
請求項１から９のいずれか１項に記載の薬剤塗布具と、台座部に配置される塗布部材とを備えることを特徴とする薬剤塗布用キット。
【請求項１１】
請求項１に記載された薬剤塗布具に塗布部材を着脱可能に保持する押圧具であって、前記薬剤塗布具に回動可能に支持される軸支部と、前記軸支部から延出して前記塗布部材に当接し得る当接部と、前記軸支部から前記当接部とは異なる方向へ延出して把持に用するつまみ部とを備えることを特徴とする薬剤塗布具用押圧具。
【請求項１２】
前記薬剤塗布具の少なくとも一部を挿通し得る通り抜け穴を有することを特徴とする請求項１１に記載の薬剤塗布具用押圧具。
【請求項１３】
前記当接部が、凸部および／または凹部よりなる滑り止めを有することを特徴とする請求項１１または１２に記載の薬剤塗布具用押圧具。
【発明の詳細な説明】
【技術分野】
【０００１】
本発明は、人体の背中部に消炎剤や日焼け止め等の薬剤または化粧品を塗布する薬剤塗布具、薬剤塗布用キットおよび薬剤塗布具用押圧具に係り、特に被塗布者自身が薬剤または化粧品を塗布するのに好適な薬剤塗布具、薬剤塗布用キットおよび薬剤塗布具用押圧具に関する。
【背景技術】
【０００２】
背中部等の被塗布者自身の手が行き届かない部分に、軟膏や薬液または日焼け止め等の液状化粧品を被塗布者自身で塗布する、または湿布を貼付するための補助具が従来から多数提案されている。それらの多くでは、いわゆる孫の手の掻き手部分に液剤を塗布するための塗布部または貼付部を形成している。
【０００３】
従来の薬品塗布具の一例が、特許文献１に記載されている。この公報では、背中などの手の届きにくい部位の患部への薬剤の塗布、消毒、膿の拭き取り、血液の拭き取り等を自分で行えるようにする薬剤塗布器具が提供されている。すなわち、湾曲したアームの一端に持ち手を有し、他端に薬剤塗布部を有する薬剤塗布器具であって、薬剤塗布部の上部に挟持用止め板を備える。使用時は、ティッシュぺーパーやガーゼ、脱脂綿等を薬剤塗布部の下に敷き、折り線で谷折りして薬剤塗布部に巻き付け、両端を薬剤塗布部の上面に折り畳む。その後、挟持用止め板を被せ、係合爪で固定する。
【０００４】
従来の、貼り薬を背中の患部に容易に貼ることや剥がすことができる家庭用医療補助具の例が、特許文献２に記載されている。この公報に記載の医療補助具では、貼り薬固定具が、下辺部に剥がし部を備えた湾曲状の押え板上部と、爪を備えた挟み板の上部を、バネを備えた軸により結合し、一体構造をなしている。握り部を備えた支持アームが、支持アーム取付け部により接続されて、着脱や角度調整ができる構造となっている。
【先行技術文献】
【特許文献】
【０００５】
【特許文献１】実用新案登録第３１７６８０２号公報
【特許文献２】特開２００１−１２９０９８号公報
【発明の概要】
【発明が解決しようとする課題】
【０００６】
上記特許文献１に記載の従来の塗布具では、孫の手状の塗布具の端部に、孫の手における掻き手部の代わりに塗布用の部材を設けている。そして塗布用の部材に薬剤を浸みこませるか塗布して、被塗布者の肌に転写している。このように構成することにより、被塗布者自身の手が行き届かない背中の部分であっても、あたかも自分の手で薬品を塗布している感覚になることを可能としている。
【０００７】
特許文献１に記載の塗布用器具では、湾曲したアームの先端部に楕円形状の薬剤塗布部を形成し、その薬剤塗布部を包むように配置したティッシュぺーパー、コットン、ガーゼ等（以下処理用品とも称す）に、薬剤塗布部の根元部で回動する挟持用止め板を回動させて押圧し、止め板の端部に設けた係合爪で固定している。この塗布用器具では、ティッシュペーパーやコットン、ガーゼ等の処理用品を確実に保持できるが、処理用品の全体に占める、塗布や拭い去りに使用する部分の割合または有効面積が少なくなる。処理用品の代表例であるカット綿やコットンパフ等の標準製品は５ｃｍ角程度であり、挟持用に折り畳むと塗布や拭き取りに使用できる有効面積が激減して、肌の僅かの部分しか一度に処理（塗布や拭き取り）できずに塗布時間が長くなるとともに、処理に使用されずに捨てられる部分が増大する。
【０００８】
特許文献２には、爪を備えた挟み板で貼り薬を把持して貼付部へ運び、貼付位置に達したら挟み板による把持を止めて、押え板で貼り薬を押えて貼付することが開示されている。特許文献２に記載の医療補助具は、貼り薬を貼付するまたは剥がすことを主目的としているので、カット綿やコットンパフ等の処理用品を用いて薬品を塗布する場合に、カット綿やコットンパフを確実に保持しながら薬品塗布に使用する有効面積をできるだけ大きくすることについては考慮されていない。
【０００９】
本発明は、上記自分自身で薬液を背中に塗布する塗布具の従来の不具合に鑑みなされたものであり、その目的は、アームを有する孫の手の掻き手部分を薬液の塗布具に置換した薬剤塗布具において、塗布に使用する使い捨ての処理用品を着脱自在に保持可能であって、かつ処理用品の塗布に使用する有効面積を可能な限り大きくすることにある。
【課題を解決するための手段】
【００１０】
上記目的を達成する本発明の特徴は、長手方向に延び、一端部側を握持に用するアームと、前記アームの長手方向にほぼ平行して前記アームに配置された台座部と、を備える薬剤塗布具において、前記台座部に塗布部材を着脱可能に保持する一対の押圧具を設け、一対の前記押圧具は前記塗布部材を前記台座部に当接させる押圧力を発生する反発具を備えることにある。
【００１１】
本発明において、「一端部側を握持に用するアーム」は、例えば、「一端側に把持部が形成されたアーム」のように言い換えることもできる。
また、「ほぼ平行」とは、アームの長手方向と台座部とが互いの間に角度をなすことなく完全に平行となっている状態だけでなく、互いの間に多少の角度をなしておおむね平行となっている状態も含意する。具体的には例えば、アームの長手方向と台座部とが互いの間に０°〜７°程度の角度をなすように、完全に又はおおむね平行となっている状態を含意する。
また、塗布部材が配置される態様としては、例えば、台座部の底面側の少なくとも一部を覆うように配置される態様等が含まれる。
また、「塗布部材」とは、薬品、化粧品等の塗布剤を表面ないし内部に保持し得、かつ、台座部に配置し得るものであれば任意の部材を含意する。例えば、天然繊維、化学繊維等よりなる綿（コットン）、布、不織布、紙等の部材がいずれも含意され、より具体的には例えば、コットンパフ、カット綿等の脱脂綿、ティッシュペーパー、ガーゼ等がいずれも含意される。また、使い捨てが可能なものも可能でないものもいずれも含意される。また、「塗布部材」との用語は、例えば「処理用品」と言い換えることもできる。
また、「塗布部材を台座部に当接させる押圧力を発生する反発具」とは、より具体的には、例えば「塗布部材を台座部に当接させ、塗布部材の台座部に対する押圧力を発生する反発具」を含意する。
また、「押圧具」としては、例えば、台座部との間に塗布部材を挟み込むようにして保持し得るクリップ等の挟持手段が含意される。
【００１２】
したがって、上記本発明の特徴は、例えば以下のように言い換えることもできる。
長手方向に延び、一端側に把持部が形成されたアームと、前記アームの長手方向に対し完全に又はおおむね平行となるように前記アームに配置された台座部とを備える薬剤塗布具において、前記台座部の底面側の少なくとも一部を覆うように配置される使い捨てが可能もしくは不可能な処理用品を着脱可能に保持する一対のクリップを設け、一対の前記クリップは前記処理用品を前記台座部に当接させ、前記処理用品の前記台座部に対する押圧力を発生する反発具を備えること。
【００１３】
そして上記本発明の特徴において、前記台座部を前記アームのほぼ中央部に配置し、前記アームの両端部をそれぞれ握持に用する部位すなわち把持部としてもよい。また、前記台座部は前記アームの他端部またはその近傍に配置され、前記アームの他端側に前記アームを延在させる副アーム（本明細書においては、「補助アーム」とも称す）を着脱自在に取付け、この副アームの端部に第２の把持部を形成（即ち、この副アームの端部も握持に用するように）してもよい。
【００１４】
上記特徴において、一対の前記押圧具（クリップ等）のそれぞれの端部をつまみ部として形成し、前記反発具は、一端が各前記押圧具（クリップ等）のつまみ部の背面側に当接し、他端が前記アームに固定された、前記アームに設けた軸に巻回されるコイルバネ（例えばキックバネ、トーションバネ、ねじりコイルバネ等と称されるバネ）であってもよく、前記反発具は、両端部が各前記押圧具（クリップ等）のつまみ部の背面側に固定される板バネであってもよい。さらに、前記アームに対して前記台座部を揺動可能に保持してもよい。
【００１５】
上記特徴において、前記反発具は、前記アームに保持することなく前記押圧具のみに固定してもよい。
【００１６】
上記特徴において、前記アームに雄ネジまたは雌ネジを設け、前記副アームに雌ネジまたは雄ネジを設け、前記アームの雄ネジまたは雌ネジと前記副アームの雌ネジまたは雄ネジとを螺合することにより、前記アームに前記副アームを着脱自在に取付けるようにしてもよい。
【００１７】
上記特徴において、前記アームに溝を配置し、前記反発具を、少なくとも一部が前記溝内に嵌入して保持されるようにして配置するようにしてもよい。
なお、この場合、溝内にダボ状の突起物や軸を含有する態様等が可能である。
【００１８】
上記特徴において、前記台座部は前記アームの他端部またはその近傍に配置し、一対の前記押圧具の一方を、前記アームの他端より外側に設けるようにしてもよい。
【００１９】
上記特徴において、前記アームの少なくとも一端部側に、前記アームの他の部位と形状および／または材質の異なる握持部を設けるようにしてもよい。
【００２０】
また、本発明は、上記薬剤塗布具と、台座部に配置される塗布部材とを備えることを特徴とする薬剤塗布用キットを提供するものである。
【００２１】
また、本発明は、薬剤塗布具に塗布部材を着脱可能に保持する押圧具であって、前記薬剤塗布具に回動可能に支持される軸支部と、前記軸支部から延出して前記塗布部材に当接し得る当接部と、前記軸支部から前記当接部とは異なる方向へ延出して把持に用するつまみ部とを備えることを特徴とする薬剤塗布具用押圧具を提供するものである。
【００２２】
上記特徴において、前記薬剤塗布具の少なくとも一部を挿通し得る通り抜け穴を有する薬剤塗布具用押圧具としてもよい。
【００２３】
上記特徴において、前記当接部に、凸部および／または凹部よりなる滑り止めを設けるようにしてもよい。
【発明の効果】
【００２４】
本発明によれば、塗布部材（または処理用品）を着脱可能に保持することが可能な、クリップで代表される押圧具（挟持手段等）をアームと一体形成された台座部を有するアームに設けたので、簡単な構成で塗布部材（または処理用品）を容易に着脱できる。また、クリップで代表される押圧具（挟持手段等）で塗布部材（または処理用品）を保持するだけなので、薬品等の塗布に使用する塗布部材（または処理用品）の有効面積の減少を抑制できる。
【図面の簡単な説明】
【００２５】
【図１】本発明に係る薬剤塗布具の一実施例の分解斜視図である。
【図２】図１に示した薬剤塗布具の主要部の正面図（ａ）、側面図（ｂ）および反発具の取付を説明する図（ｃ）である。
【図３】図１に示した薬剤塗布具の押圧具を示す上面図（ａ）、側面図（ｂ）、正面図（ｃ）である。
【図４】図１に示した薬剤塗布具の押圧具の動作を説明する側面図である。
【図５】本発明に係るクリップのいくつかの変形例の側面図（ａ）、（ｂ）である。
【図６】本発明に係る反発具の変形例を説明するための図であり、クリップ部の上面図（ａ）、正面図（ｂ）、側面図（ｃ）である。
【図７】図６に示した反発具の他の変形例を説明するための図であり、クリップ部の上面図（ａ）、正面図（ｂ）および側面図（ｃ）である。
【図８】図６に示した反発具のさらに他の変形例を説明するための図であり、クリップ部の正面図（ａ）および側面図（ｂ）である。
【図９】図６に示した反発具のさらに他の変形例を説明するための図であり、クリップ部の正面図（ａ）および側面図（ｂ）である。
【図１０】図６に示した反発具のさらに他の変形例を説明するための図であり、クリップ部の正面図（ａ）および側面図（ｂ）である。
【図１１】反発具を塗布具本体のアームに保持する他の変形例を説明するための図であり、反発具を除いたアーム部の斜視図（ａ）、反発具として反発具（キックバネ）を用いたときの上面図（ｂ）および側面図（ｃ）である。
【図１２】図１１に示した反発具にかえて反発具（板バネ）を用いたときの上面図（ａ）および側面図（ｂ）である。
【図１３】本発明に係る薬剤塗布具の変形例の側面断面図である。
【図１４】アームと補助アームとの接合構造の他の例を示す図であり、補助アームにおける接合部の上面図（ａ）、正面図（ｂ）および側面図（ｃ）である。
【図１５】アームと補助アームとの接合構造の他の例を示す側面図である。
【図１６】図１５に示したアームにおける接合部の上面図である。
【図１７】図１５に示した補助アームにおける接合部の正面図である。
【図１８】本発明に係る薬剤塗布具の他の変形例の側面図である。
【図１９】本発明に係る薬剤塗布具のさらに他の変形例を示す一部切欠分解斜視図である。
【図２０】図１９に示した薬剤塗布具の主要部の側面図である。
【図２１】本発明に係る薬剤塗布具のさらに他の変形例を説明するための図であり、握持部の正面図（ａ）および側面図（ｂ）である。
【図２２】本発明に係る薬剤塗布具のさらに他の変形例を説明するための図であり、握持部の正面図（ａ）および側面図（ｂ）である。
【図２３】本発明に係る押圧具における当接部のいくつかの変形例の斜視図（ａ）〜（ｆ）である。
【図２４】本発明に係る薬剤塗布具の他の変形例の分解斜視図である。
【発明を実施するための形態】
【００２６】
以下、本発明に係る薬剤塗布具の一実施例を、図面を用いて説明する。図１は、本発明に係る薬剤塗布具１００の一実施例の分解斜視図であり、図２は図１に示す薬剤塗布具１００の主要部の正面図（ａ）、側面図（ｂ）ならびに反発具としての押圧バネ（キックバネ）２６２の取付状態を説明する図（ｃ）である。
【００２７】
薬剤塗布具１００は、４０〜６０ｃｍ程度まで長く延びた棒状のアーム１０と、このアーム１０の長手方向にほぼ平行して該アーム１０に配置された台座部２２２とを有する塗布具本体２００を備える。例えばアーム１０と台座部２２２とがともに合成樹脂製の場合には、型成形、射出成形等で塗布具本体２００を一体に成形することができる。例えばアーム１０が木製、アルミニウム等の軽量金属製等であれば、台座部２２２を木製、軽量金属製等のアーム１０にネジ等で固定して一体化しても良い。また、例えば、合成樹脂製のアーム１０に台座部２２２をネジ等で固定して一体化しても良い。また、台座部２２２は、スペーサー等の接続材（不図示）を介してアーム１０と接続され一体化されても良い。なお、アーム１０と台座部２２２とが一体化される部分はアーム１０の軸方向の一部をなす柱体部分と台座部２２２とで集中部２２０を構成する。より具体的には、集中部２２０は、アーム１０において、一対の押圧具（クリップ）１３０、押圧具（クリップ）１３０の取付け軸（保持軸）２６８、台座部２２２、反発具および反発具保持部分(取付け軸２６８、反発具用穴２７０等の保持手段含む）が寄り集まって構成される部分となっている。
【００２８】
アーム１０の一端部側には、被塗布者が自身で握持する握持部１１が形成されている。握持部の長さは１０ｃｍ〜１８ｃｍ程度となっている。本実施例の薬剤塗布具１００では、孫の手の掻き手部分を塗布具本体２００で置き換えた構造を採用しているので、被塗布者の背中に薬剤を塗布するのに便利なように、アーム１０はわずかに湾曲している。しかしながらアーム１０は、一方向に湾曲するだけでなく、複数の方向に湾曲する形状（例えば概略Ｓ字状に湾曲する形状等）であってもよく、あるいは例えば、直線状に延びていてもよい。
【００２９】
塗布具本体２００のアーム１０における握持部１１の反対側は、台座部２２２の動作に影響を及ぼさない程度に、台座部２２２より外側へ延びた延在部１４となっている。延在部１４は通常１ｃｍ〜５ｃｍ程度であるが、後述する実施例のように、薬剤塗布具１００を両手で握持するような場合には、１０ｃｍ〜５０ｃｍ程度延在させた補助アーム４００に置き換え、その端部に第２の握持部１１を配置（形成）するようにする。延在部１４は後述する押圧具１３０の通り抜け穴１３４を貫通してもよいし、貫通しなくてもよい。
【００３０】
塗布具本体２００にはさらに、台座部２２２に塗布部材３００を確実に保持するために、集中部２２０の軸方向でなおかつ台座部２２２の前後それぞれの位置近傍に外形が木の葉状の一対の押圧具１３０がほぼ対称に揺動可能に設けられている。押圧具１３０の構成を図３にも示す。図３は、押圧具１３０の上面図（ａ）、側面図（ｂ）、正面図（ｃ）である。押圧具１３０の正面には卵形の通り抜け穴１３４が開いており、押圧具１３０を塗布具本体２００の台座部２２２近傍に取付けたときに延在部１４や集中部２２０、アーム１０との干渉を防いでいる。即ち、押圧具１３０は、薬剤塗布具１００の少なくとも一部を挿通し得る通り抜け穴１３４を有する構成となっている。
【００３１】
押圧具１３０を集中部２２０に取付けるために、押圧具１３０の通り抜け穴１３４もしくはそれに相当する位置の近傍には穴１３７が配置された保持板１３６が左右に一対、集中部２２０を径方向に挟むように設けられている。穴１３７は、後述する集中部２２０の取付け穴２６５に嵌挿される取付け軸２６８と嵌合する。側面方向から視て押圧具１３０には、図３（ｂ）に示すように、保持板１３６に配置された穴１３７の中心点から押圧具１３０の正面に向けて押圧具１３０に対しほぼ垂直に交わるように延出する仮想線Ａ１を切断線と捉えた場合に、これよりも台座部２２２側（図では下側）Ｓ１とは反対側の反台座部２２２側（図では上側）Ｓ２につまみ部１３８が形成されており、台座部２２２側Ｓ１に先端部が台座部２２２の方向に折れ曲がっている当接部１３２が形成されている。当接部１３２の幅は、塗布具本体２００に設けられた台座部２２２の幅とほぼ同じである。即ち、押圧具１３０は、薬剤塗布具１００に塗布部材３００を着脱可能に保持する押圧具であって、薬剤塗布具１００に回動可能に支持される軸支部である保持板１３６と、上記軸支部から延出して塗布部材３００に当接し得る当接部１３２と、上記軸支部から当接部１３２とは異なる方向へ延出して把持に用するつまみ部１３８とを備える薬剤塗布具用押圧具となっている。
【００３２】
塗布具本体２００の集中部２２０の側面でなおかつ軸方向にほぼ対称に配置された一対の取付け穴２６５が左右両側面に配置されており、取付け穴２６５には取付け軸２６８が嵌挿され取付けられている。取付け軸２６８には、保持板１３６に配置した穴１３７と嵌合して押圧具１３０が揺動可能に集中部２２０に取付けられるとともに、反発具２６２（キックバネ）のコイル部分が巻回されている。反発具２６２（キックバネ）の一端部は直線状または弧状に延びていて、押圧具１３０のつまみ部１３８の背面側を押圧する。反発具２６２（キックバネ）の他端部は、取付け軸２６８にコイル部分を巻回した後、集中部２２０のそれぞれの側面の取付け穴２６５、２６５の間でなおかつ集中部２２０の軸方向にほぼ対称に並ぶように配置された一対の反発具用穴２７０に先端を折り曲げられて挿入、固定される。取付け穴２６５には取付け軸２６８が固定して取付けられているが、取付け穴２６５に取付け軸２６８が回動可能に嵌合し押圧具１３０の穴１３７に取付け軸２６８が溶接やカシメ留め、ロウ付けや接着などをして固定してもよい。
【００３３】
図２（ｃ）を参照して反発具２６２（キックバネ）をあらかじめ付勢して取付けた状態の反発具の作用と、その作用による押圧具の動作を詳細に説明する。図２（ｃ）では、理解しやすいように保持板１３６を省いている。一対の押圧具用反発具としてのバネである反発具２６２（キックバネ）の内の一方（図では左方）の反発具２６２（キックバネ）を取付けた状態であり、他方（図では右方）は取付け前である。反発具２６２（キックバネ）のコイル状に形成されたほぼ中央部分は、取付け軸２６８に巻回され集中部２２０に保持され移動を制限されている。反発具２６２（キックバネ）の折り曲げられた一端部は集中部２２０の側面に配置された反発具用穴２７０に挿入され、固定されている。一方、他端部側は固定などはされておらず、揺動可能に集中部２２０に保持された押圧具１３０のつまみ部１３８の背面側を反発具２６２（キックバネ）の弾性力（復元力）により押圧している。その弾性力により押圧される押圧具１３０は、図４にも示すように取付け軸２６８（穴１３７）を中心軸にテコの原理で回転し、反つまみ部１３８側である当接部１３２が台座部２２２に突き当たることで停止する。あらかじめ付勢をして取付けられた反発具２６２（キックバネ）の弾性力（復元力）は前述の条件の中で上記構成物のいずれかが劣化や破損などしない限り作用し続け、解放されることなく維持される。反発具２６２（キックバネ）の弾性力（復元力）は、押圧具１３０のつまみ部１３８の背面側を押圧し押圧具１３０を回転させる力（回転モーメント）として作用するのである。
【００３４】
背面同士を向い合わせにほぼ対称に設けられた押圧具１３０のつまみ部１３８、１３８は、それぞれの反発具２６２（キックバネ）の弾性力（復元力）の押圧により回転し互いに離反する。これにより、回転する押圧具１３０の揺動の中心（穴１３７）より下方部分である当接部１３２は互いに接近して台座部２２２に突き当たる。台座部２２２の側面および底面に当て添えられた塗布部材３００は、当接部１３２により台座部２２２に押圧され挟持される。この状態が塗布部材３００が塗布具本体２００に保持された状態である。塗布具本体２００と塗布部材３００とを着脱するには、反発具２６２（キックバネ）の弾性力（復元力）に抗した力をつまみ部１３８を介して反発具２６２（キックバネ）に与える。すなわち、一対の押圧具１３０のつまみ部１３８が互いに近接するように指などで挟み押圧具１３０を揺動させる。反発具２６２（キックバネ）の弾性力（復元力）より強い力でつまみ部１３８を指などで挟むことでそれぞれのつまみ部１３８は取付け軸２６８（穴１３７）を中心に揺動し互いに接近する。これにより、揺動する押圧具１３０の揺動中心軸（穴１３７）より下方部分である当接部１３２、１３２は、それぞれが台座部２２２から離反し塗布部材３００を着脱するための空間が生まれる。この状態が塗布部材３００を塗布具本体２００から解放した状態である。
【００３５】
塗布部材３００は、台座部２２２の底面側に配置される。より具体的には、図２（ｂ）にも示すように、台座部２２２の底面部を覆い、さらに側面部にまで回り込むようにして配置され、押圧具１３０の当接部１３２により両側から台座部２２２の両側面部に押圧され挟持されることで保持される。ただし、塗布部材３００の配置としてはこのような態様以外も可能である。例えば、塗布部材３００が、台座部２２２の底面部の全部ではなく、一部を覆うようにした態様としてもよい。換言すれば、塗布部材３００の配置としては、台座部２２２の底面部の全部または一部（少なくとも一部）を覆うようにした態様とすることができる。また、例えば、台座部の側面部に及ぶことなく底面部（の少なくとも一部）のみを覆うように塗布部材を配置し、押圧具の当接部により塗布部材の周縁部を台座部の底面部に押圧して保持するような態様（図示せず）等も可能である。この態様の場合、例えば、押圧具において、後述する変形例（７）に係る図２３（ａ）〜図２３（ｃ）に示す当接部１３２ａ〜１３２ｃのように、先端部をさらに内側（つまみ部側）へ折れ曲がった形状に成形して突条を形成すれば、この突条によって台座部の底面部を押圧し得る構成とすることができる。
【００３６】
塗布部材３００としてはコットンパフやカット綿、ペーパーや布などに薬剤を浸み込ませたもの、またはペースト状の薬剤を塗布したものなど、いずれのものをも使用できる。市販されているコットンパフの大きさは、６０×８０、５８×７０、５０×６０、５５×７０、５０×６５（これらの寸法単位はｍｍ）等、即ち、短辺が５０〜６０ｍｍ程度、長辺が６０〜８０ｍｍ程度であり、カット綿の大きさは４０×４０、５０×６０、５０×５０、５０×７０、５６×８０、７０×７０（これらの寸法単位はｍｍ）等、即ち、短辺が４０〜７０ｍｍ程度、長辺が４０〜８０ｍｍ程度であるから、台座部２２２の大きさ、すなわち底面の辺の寸法は、上記塗布部材３００の辺の寸法以下程度であればよい。具体的には、短辺（アーム１０の軸方向）長さが３０〜６０ｍｍ程度、長辺（アーム１０の径方向）が３０〜８０ｍｍ程度となる。しかし、市販されている塗布部材は一般的に伸縮するもので、よって台座部２２２の底面の辺の寸法は上述の値よりさらに大きくてもよい。
なお、薬剤塗布具１００と、台座部２２２に配置される塗布部材３００とで、薬剤塗布用キットを構成することができる。
【００３７】
次に、図５および図６に、本発明に係る押圧具１３０に用いる反発具の変形例を示す。これらにより押圧機構を簡素化することができ、部品点数の低減によるコスト低減、組立て工程数の低減を成しげることができる。図５は、反発具をキックバネから反発具（板バネ）２９４、２９６に変えた変形例である。図５（ａ）は、上に凸型に配置された反発具（板バネ）２９４を用いた例であり、図５（ｂ）は集中部２２０をかわすように（集中部２２０からオフセットした位置に配置させるなどして）下に凸型に配置された反発具（板バネ）２９６を反発具に用いた例である。本変形例においては、反発具を、集中部２２０に保持することなく押圧具１３０のみに固定している。具体的には、反発具を集中部２２０に保持することはせずに、一対の押圧具１３０のつまみ部１３８の背面側にあらかじめ付勢をした状態で反発具（板バネ）２９４、２９６の両端部をそれぞれ固定するだけで反発具を構成できる。すなわち、背面同士を向い合わせ、ほぼ対称に配置した押圧具１３０のつまみ部１３８、１３８の背面側に反発具（板バネ）２９４、２９６の両端部を固定する。つまみ部１３８、１３８とを反発具（板バネ）２９４、２９６に反発具の弾性力（復元力）で突っ張らせることにより押圧具１３０のそれぞれを回転させ押圧具１３０のつまみ部１３８を互いに離反させるのである。
【００３８】
反発具（板バネ）２９４、２９６をつまみ部１３８に取付ける具体例として、つまみ部１３８と反発具（板バネ）２９４、２９６が互いに溶け合う素材であれば、溶接などして融着させ取り付けることができる。つまみ部１３８と反発具（板バネ）２９４、２９６が溶け合わない素材であれば、反発具（板バネ）２９４、２９６の端部にリベット留めやビス留め、ロウ付けなどで押圧具１３０に締着や鋲着、接着などして取り付けることができる。あるいは、反発具（板バネ）２９４、２９６の端部を嵌入できるホルダーをつまみ部１３８の背面側に配置し、反発具（板バネ）２９４、２９６の端部を差し込むようにすれば、確実に反発具（板バネ）２９４、２９６の端部がつまみ部１３８に固定できる。なお、当該嵌入部分にさらにリベット留めやロウ付けなどして反発具（板バネ）２９４、２９６を当ホルダーに確実に固定してもよい。本変形例によれば、反発具部分の構成を簡素化できる。図５ならびに後述する図６の変形例では図１および図２に示す集中部２２０の左右側面に配置する反発具用穴２７０は存在しない。押圧具に与える反発具の弾性力（復元力）の作用およびその作用による押圧具の動作は、上記各実施例および変形例と同様である。
【００３９】
図６は反発具（キックバネ）２６２の取付け位置および形状を変えた例であり、同図６（ａ）は反発具（キックバネ）２９２を含む塗布具本体２００の上面図、同図（ｂ）は塗布具本体２００の正面図、同図（ｃ）は塗布具本体２００の側面図である。反発具（キックバネ）２９２を明確に示すため、これらの図では押圧具１３０を（図６（ｃ）に一方を破線で図示する以外は）省略している。
【００４０】
図１、２に示す実施例では、押圧具１３０の各つまみ部１３８を、それぞれ異なる複数の反発具（キックバネ）２６２で押圧して押圧具１３０の下端部の当接部１３２に押圧力を発生させていたが、本変形例では一対の押圧具１３０のそれぞれを１本の反発具（キックバネ）２９２で押圧している。
【００４１】
具体的には、塗布具本体２００の集中部２２０の上周面に、コの字形状の保持部材２８０を取付ける。その際、保持部材２８０のベース部２８２には固定用穴２８６が形成されており、一方、集中部２２０の上周面には軸が設けられている。固定用穴２８６に集中部２２０の軸を嵌合させ留め具２８７で締め付けることで保持部材２８０を集中部２２０に固定できる。なお、保持部材２８０のベース部２８２の裏面には接着剤などを塗布して固定を確実にしてもよい。ベース部２８２の左右両側に立設した保持部２８４には、穴が形成されており、この穴に軸２９０を嵌挿して固定する。軸２９０には、反発具（キックバネ）２９２のコイル部分が巻回されており、あらかじめ付勢した状態で配置される。反発具（キックバネ）２９２の両端部は長く延されて、破線で示した押圧具１３０のつまみ部１３８の背面側を押圧する。一方、押圧具１３０は、図１、２に示した実施例と同様に、集中部２２０の左右側面に配置した取付け穴２６５に巌挿される取付け軸２６８により揺動可能に保持される。本変形例においても、図１に示した実施例と同様に、押圧具１３０が台座２２２に取付ける塗布部材３００を着脱可能に確実に挟持する。押圧具１３０のつまみ１３８の背面側を押圧する反発具（キックバネ）２９２である反発具と押圧具（クリップ等）との間の作用およびその作用による押圧具の動作は、上記各実施例および変形例と同様である。
【００４２】
図７〜図１２に、図６に示した実施例の変形例を示す。これらの変形例は、図６に示した反発具と反発具の保持具の構成が異なっている。図７は、塗布具本体２００と反発具の構成を示す三面図であり、同図（ａ）はその上面図、同図（ｂ）はその正面図、同図（ｃ）はその側面図である。本変形例が図６に示した実施例と異なるのは、一対の押圧具１３０に当接する反発具（キックバネ）２９２を、押圧具１３０ごとに設けたことにある。反発具（キックバネ）２９２のコイル部分は保持部材２８０に取付けた軸２９０周りに巻回されて、ー端部側は押圧具１３０のつまみ部１３８の背面側に、他端部側は集中部２２０の上周面側を押圧するように集中部２２０の上周面の軸方向にほぼ対称に配置されている。反発具である反発具（キックバネ）２９２は、あらかじめ付勢した状態で押圧具１３０のつまみ部１３８の背面側を押圧する端部と集中部２２０を押圧する他端部の間で配置されており、一対の押圧具１３０を反つまみ部１３８側で互いに近づけることでコットンパフやカット綿などの塗布部材３００を確実に台座部２２２に保持する。これにより保持部材２８０と反発具２９２が双方同時に損傷する場合を除いて、塗布部材３００を台座部２２２に保持できるので、薬品などが塗布されている塗布部材３００の散乱を防止できる。なお、保持部材２８０と反発具（キックバネ）２９２が双方同時に損傷することは殆どあり得ないので、薬品による周辺の汚染を確実に防止できる。押圧具１３０のつまみ部１３８の背面側を押圧する反発具（キックバネ）２９２である反発具と押圧具との間の作用およびその作用による押圧具の動作は、上記各実施例および変形例と同様である。
【００４３】
図８は、塗布具本体２００と反発具周辺の構成を示す図であり、同図（ａ）はその正面図、同図（ｂ）はその側面図である。本変形例では、図６と同じ反発具の保持部材２８０を使用しているが、反発具が板バネになるので、反発具である反発具（板バネ）２９２ａは軸２９０周りに反発具（キックバネ）のコイル部分を巻回することは無く、軸２９０と保持部材２８０のベース部２８２との間を通すだけである。反発具（板バネ）２９２ａは、軸２９０と保持部材２８０のベース部２８２との間を通って集中部２２０の軸方向に延び、あらかじめ付勢した状態で配置され、押圧具１３０のつまみ部１３８の背面側を押圧する。反発具（板バネ）２９２ａは、摩擦移動による塗布具本体２００からの離脱を防ぐために軸２９０近傍で折り曲げ形状に加工されていてもよい。押圧具１３０のつまみ部１３８の背面側を押圧する反発具（板バネ）２９２ａである反発具と押圧具間の作用およびその作用による押圧具の動作は、上記各実施例および変形例と同様である。これにより簡素な構造で反発具（板バネ）２９２ａを保持部材２８０で集中部２２０に保持できる。
【００４４】
図９は、図８の変形例において保持部材２８０を省いた変形例である。反発具（板バネ）２９２ｂのほぼ中央に留め穴を形成する。集中部２２０の上周面に留め穴あるいは留め軸が配置されており、反発具（板バネ）２９２ｂに設けた穴を用いて留め具２９３が反発具（板バネ）２９２ｂを集中部２２０に固定する。反発具（板バネ）２９２ｂは一対の押圧具１３０のつまみ部１３８の背面側を押圧する長さに形成されており、留め穴部分から集中部２２０の軸方向に延び、あらかじめ付勢した状態で配置し押圧具１３０のつまみ部１３８の背面側を押圧する。保持部材２８０を省くことができるので構成がより簡素になる。押圧具１３０のつまみ部１３８の背面側を押圧する反発具（板バネ）２９２ｂである反発具と押圧具間の作用およびその作用による押圧具の動作は、上記各実施例および変形例と同様である。
【００４５】
図１０は、図９の変形例において板バネを各押圧具ごとに設けた変形例である。反発具（板バネ）２９２ｃの一端側には、留め穴が形成されており、集中部２２０の上周面の軸方向に一対の留め穴あるいは留め軸が配置されている。反発具（板バネ）２９２ｃに設けられた穴を用いて留め具２９３が反発具（板バネ）２９２ｃを集中部２２０の上周面の軸方向にほぼ対称に固定する。本変形例によれば、留め穴あるいは留め軸を２ケ所、集中部２２０の上周面に設ける必要はあるが、どちらか一方の反発具（板バネ）２９２ｃが破損したとしても、他方の反発具２９２ｃがとれたり破損しない限り、塗布部材３００を確実に台座部２２２に保持できる。押圧具１３０のつまみ部１３８の背面側を押圧する反発具（板バネ）２９２ｃである反発具と押圧具間の作用およびその作用による押圧具の動作は、上記各実施例および変形例と同様である。
【００４６】
反発具を塗布具本体２００の集中部２２０に保持する他の変形例を、図１１および図１２に示す。図１１（ａ）は、反発具を除いた集中部２２０の斜視図であり、同図（ｂ）は反発具として反発具（キックバネ）２９２を用いたときの上面図、同図（ｃ）はその側面図、図１２（ａ）は反発具として反発具（板バネ）２９２ａを用いたときの上面図、同図（ｂ）はその側面図である。
【００４７】
集中部２２０の上周面の軸方向に半月形の溝２３２が配置されてあり、溝のほぼ中央の位置に、集中部２２０をほぼ径方向に溝２３２の空間を通過して貫通する穴２３５を設け、その穴２３５に押さえピン２３４を貫挿する。しかし、押さえピン２３４は穴２３５に圧入して摩擦力により固定する構成とはせずに、嵌合させたのち端部にカシメ加工などの抜け止めを施してもよいし、押さえピン２３４を長尺の頭付きネジとし貫通穴２３５の片側をナットとして組み合わせてもよい。押さえピン２３４に反発具（キックバネ）２９２のコイル部分を巻回す（図１１（ｂ）、（ｃ）参照）か、押えピン２３４と溝２３２の底面との間に反発具（板バネ）２９２ａを通す（図１２（ａ）、（ｂ）参照）こと、換言すれば、反発具（キックバネ）２９２または反発具（板バネ）２９２ａを、少なくとも一部が溝２３２内に嵌入して保持されるようにして配置することで、あらかじめ付勢した状態で配置し押圧具１３０のつまみ部１３８の背面側を押圧する反発具（キックバネ）２９２または反発具（板バネ）２９２ａを集中部２２０に確実に保持できる。本変形例では、集中部２２０に溝２３２と穴２３５を配置する必要はあるが、簡素な構成で確実に反発具を集中部２２０に保持できる利点がある。押圧具１３０のつまみ部１３８の背面側を押圧する反発具（キックバネ）２９２、反発具（板バネ）２９２ａである反発具と押圧具間の作用およびその作用による押圧具の動作は、上記各実施例および変形例と同様である。上記実施例である図８、図９および図１０や、図１２の（ａ）および（ｂ）の板バネの端部は、図５（ａ）ならびに（ｂ）の変形例のように押圧具１３０のつまみ部１３８の背面側に固定されてもよい。
【００４８】
（その他の変形例）
（１）
次に、本発明に係る薬剤塗布具１００の変形例を図１３に示す。本変形例は、アーム１０の構成を変更するものであり、上記実施例および変形例に示したいずれの塗布具本体２００をも適用できる。図１３は、薬剤塗布具の側面断面図である。上記実施例および各変形例では、塗布具本体２００の反握持部側端部に比較的短い延在部１４を設けるものもあるが、アーム１０の軸方向に図示しない握持部を有する補助アーム４００を継ぎ足している。すなわち、補助アーム４００とアーム１０とで薬剤塗布具１０２を構成することにより、補助アーム４００とアーム１０の両端部に設けた握持部１１を使用者が握って、乾布摩擦の要領で塗布具本体２００を肌上で動かすことができる。これにより、塗布具本体２００の操作性が増大する。そのため、台座部２２２はアーム１０の他端部（反握持部側端部）またはその近傍に配置され、アーム１０の反握持部側端部には雄ネジ４１２が、補助アーム４００の端部には雌ネジ４１４が形成された構成となっており、これらの雄ネジ４１２、雌ネジ４１４を螺合することにより、アーム１０に補助アーム４００を着脱自在に取付けて両握持型の薬剤塗布具１０２を構成できる。本変形例によれば、薬剤塗布具１０２を両手で握持して使用することが可能になる。
【００４９】
（２）
アームと補助アームとの接合構造としては、上述のような、アームに設けた雄ネジ（または雌ネジ）と、補助アームに設けた雌ネジ（または雄ネジ）との螺合によるものに限られない。例えば図１４に示すように、補助アーム５００の端部に、ほぞ穴部５１４と、このほぞ穴部５１４の側壁部を径方向に貫通するネジ穴５１４ａとを形成するとともに、このほぞ穴部５１４に対応するほぞ部をアームの反握持部側端部に形成し（不図示）、ほぞ穴部５１４にほぞ部を挿入してネジ穴５１４ａに外側からネジ５１４ｂを螺入することにより補助アーム５００をアームに接合する構造としてもよい。
【００５０】
（３）
さらには、例えば図１５〜図１７に示すように、ほぞ部およびほぞ穴部に、さらに副ほぞ穴部および副ほぞ部を形成した構造としてもよい。同図に示す接合構造においては、アーム６１０の反握持部側端部にはほぞ部６１２が、補助アーム６００の端部にはほぞ穴部６１４が形成されている。
【００５１】
ほぞ部６１２は、図１６に示すように、アーム６１０の反握持部側端から、アーム６１０の径よりも一回り小さい径を有して軸方向に円柱状に延出している。ほぞ部６１２内には、ほぞ部６１２の径よりもさらに一回り小さい内径を有して軸方向のほぼ全長にわたって円穴状に延びる副ほぞ穴部６１２ａが形成されている。また、ほぞ部６１２の軸方向におけるほぼ中央の位置には、表面から断面弧形状をなして凹入する溝部６１２ｂが、周方向に沿って延びるように形成されている。
【００５２】
ほぞ穴部６１４は、図１７に示すように、補助アーム６００の端部に、ほぞ部６１２に対応する内径および深さを有して円穴状に凹入するように形成されており、上述の図１４に示す変形例と同様に、ほぞ穴部６１４の側壁部を径方向に貫通するネジ穴（不図示）が形成されている。また、ほぞ穴部６１４の内奥面における中心部には、副ほぞ穴部６１２ａに対応する径および長さを有して軸方向へ円柱状に延出する副ほぞ部６１４ａが形成されている。
【００５３】
ほぞ穴部６１４にほぞ部６１２を挿入し、図１５に示すようにネジ穴に外側からネジ６１４ｂを螺入することにより、補助アーム６００をアーム６１０に接合することができる。この接合構造によれば、副ほぞ穴部６１２ａおよび副ほぞ部６１４ａにより、より確実かつ安定的な接合が可能となる。
【００５４】
（４）
さらには例えば、図１８に模式的に示すように、台座部７２２をアーム７１０のほぼ中央部に配置し、アーム７１０の両端部をそれぞれ握持に用する構成としてもよい。同図に示す薬剤塗布具７００は、図１に示した実施例に係る薬剤塗布具１００と同様に、長く延びた棒状のアーム７１０と、このアーム７１０に配置された台座部７２２と、押圧具７１３、７１３とを有する構成となっているが、図１に示した実施例に係るアーム１０が４０〜６０ｃｍ程度の長さを有するものであったのに対し、本変形例に係るアーム７１０は、だいたい補助アームの長さ１０ｃｍ〜５０ｃｍ程度のぶんだけ長い、全長５０〜１１０ｃｍ程度の長さを有するものとなっている。換言すれば、本変形例に係るアーム７１０は、図１に示した実施例に係るアーム１０の長さ４０〜６０ｃｍ程度に、図１３に示した変形例に係る補助アーム４００の長さ１０ｃｍ〜５０ｃｍ程度を足したものにほぼ相当する５０〜１１０ｃｍ程度の全長を有する非分割の構成、即ちアームと補助アームとに分割されずこれらが当初から一体的に形成された構成となっている。
【００５５】
そして、本変形例に係るアーム７１０のほぼ中央部に台座部７２２が配置され、アーム７１０の両端部がそれぞれ握持部７１１、７１１として握持に用いられる構成となっている。
【００５６】
本変形例に係る薬剤塗布具７００によれば、両端部に形成された握持部７１１、７１１を使用者が握って、乾布摩擦の要領で塗布具本体を肌上で動かすことができる。これにより、図１３に示した変形例に係る薬剤塗布具１０２の場合と同様に、塗布具本体の操作性が増大する。
【００５７】
（５）
次に、本発明に係る薬剤塗布具１００のさらなる変形例を図１９および図２０に示す。本変形例に係る薬剤塗布具８００は、上記各実施例および変形例と同様に、アーム８１０と、台座部８２２と、押圧具８１３ａ、８１３ｂとを備えるものとなっている一方、上記各実施例および変形例とは異なって、台座部８２２はアーム８１０の他端部またはその近傍に配置され、一対の押圧具８１３ａ、８１３ｂのうちの一方の押圧具８１３ｂが、アーム８１０の他端より外側に設けられる構成となっている。また、アーム８１０は、丸棒状ではなく、角落ちした概略角柱状のアームとなっている。
【００５８】
本変形例に係る薬剤塗布具８００においては、台座部８２２は、一方長辺部（アーム８１０の幅方向に沿った一方長辺部）がアーム８１０の他端よりわずかに内側の位置にくるように、換言すれば台座部８２２がアーム８１０の他端よりあまり内側に引っ込まない位置（あるいはアーム８１０の他端にほぼ揃う位置）にくるようにし、上面をアーム８１０の他端部に重ねるようにして配置されている。台座部８２２近傍におけるアーム８１０の側面でなおかつ軸方向にほぼ対称となる位置には、図１に示した実施例に係る取付け穴２６５とほぼ同様の、一対の取付け穴８６５が左右両側面に配置されており、図１に示した実施例と同様の構造で、一対の押圧具８１３ａ、８１３ｂが揺動可能に設けられている。
【００５９】
本変形例に係る薬剤塗布具８００によれば、アーム８１０の他端より外側に設けられる一方の押圧具８１３ｂは、取付けたときのアーム８１０との干渉を考慮する必要がないため、図１９にも示す通り、通り抜け穴は設けられていない。従ってそのぶん、外側に設けられる一方の押圧具８１３ｂの美観をより良好とすることができるという利点がある。なおこの場合、例えば、台座部８２２がアーム８１０の他端より外側に実質的に突出していると、外側に設けられる一方の押圧具８１３ｂに干渉するため望ましくないが、この外側の押圧具８１３ｂに干渉し難い範囲内であれば、台座部８２２がアーム８１０の他端より外側に突出していてもよい。
【００６０】
ただし、上記アーム８１０の他端より外側に設けられる一方の押圧具８１３ｂにかえて、図１に示した実施例に係る押圧具１３０と同様に通り抜け穴を有する押圧具を配置するようにしてもよい。即ち、このアーム８１０の他端より外側に設けられる一方の押圧具８１３ｂも、他方の押圧具８１３ａと同様に（あるいは対称となるように）、通り抜け穴を有するものとしてもよい。この場合には、図１３に示した変形例に係る薬剤塗布具１０２の場合と同様に、補助アームを継ぎ足し得る構成とすることも可能となる。
なお、変形例である図１３、１５、１８、１９および２０の押圧機構（反発具等）の構成は図２、４、５、６、７、８、９、１０、１１および１２のそれに準ずるものとする。
【００６１】
（６）
次いで、本発明に係る薬剤塗布具１００のさらなる変形例を図２１および図２２に示す。本変形例に係る薬剤塗布具９００Ａ、９００Ｂは、アームの少なくとも一端部側に、アームの他の部位と形状の異なる握持部が設けられた構成となっている。
【００６２】
握持部としては、例えば図１に示した実施例に係る薬剤塗布具１００の握持部１１と同様に、アームの他の部位と構成が実質的に同様の握持部としてもよいが、本変形例に係る薬剤塗布具９００Ａ、９００Ｂのようにアームの他の部位と構成の異なる握持部とすることで、握りやすさや取扱性等をより向上させることができる。
【００６３】
図２１に示す変形例に係る薬剤塗布具９００Ａにおいては、断面円形の丸棒状のアーム９１０Ａの一端部側が、断面概略横長の菱形状となるように成形されて握持部９１１Ａとされている。握持部９１１Ａの両側端縁部は、角落ちさせて断面弧状とされている。
【００６４】
図２２に示す変形例に係る薬剤塗布具９００Ｂにおいては、断面円形の丸棒状のアーム９１０Ｂの一端部側が、該アーム９１０Ｂの他の部位よりもやや大径の丸棒状に成形されて握持部９１１Ｂとされ、その両側端縁部に、断面弧状（略半円状）に両外側へ突出しアーム９１０Ｂの軸方向（長さ方向）に沿って直線状に延びる突条９１２Ｂが形成されている。
【００６５】
以上のような握持部９１１Ａ、９１１Ｂによれば、手で握った際に、握る位置が周方向にずれたりし難いためより確実に握持することができ、また、特に被塗布者自身の目が届かない背中での操作の際でも、薬剤塗布具９００Ａ、９００Ｂが軸周りにどのような体勢となっているか（角度位置）を容易かつ確実に把握することができるとともに、薬剤塗布具９００Ａ、９００Ｂを所望の角度位置に制御および保持しやすい。
【００６６】
さらにまた、以上のような握持部９１１Ａ、９１１Ｂ以外にも、例えば、アームの少なくとも一端部側に、表面部にゴム等よりなる層を形成したり、表面を凹凸を有する形状に形成したりすることによって滑り止め部を設け、これにより握持部を形成するようにしてもよい。即ち、アームの他の部位と形状および／または材質の異なる握持部とするようにしてもよい。また、以上例示したような各種の握持部は、アームの他端部側や補助アームにも設けることができる。
【００６７】
（７）
押圧具の当接部としては、多様な構成のものが可能である。例えば、図２３（ａ）〜図２３（ｆ）に示すように、凸部および／または凹部よりなる滑り止めを有するもの等が挙げられる。
【００６８】
図２３（ａ）〜図２３（ｆ）に示す当接部１３２ａ〜１３２ｆはいずれも、図１に示した実施例に係る当接部１３２と同様に、先端部を台座部の方向に折り曲げるようにして形成されているが、これにより形成された折曲片部１３３ａ〜１３３ｆにおいて塗布部材に当接し得る部位に、各種の滑り止めが設けられている。
【００６９】
図２３（ａ）〜図２３（ｃ）に示す当接部１３２ａ〜１３２ｃは、折曲片部１３３ａ〜１３３ｃの先端部をさらに内側（つまみ部側）へ折れ曲がった形状に成形することにより、当接部１３２ａ〜１３２ｃの全体が断面概略コ字形状をなすように成形され、これによって、折曲片部１３３ａ〜１３３ｃの先端縁に、凸部として突条１３５ａ〜１３５ｃが形成された構成となっている。より具体的には、図２３（ａ）に示す突条１３５ａは、先端縁が直線状となっており、図２３（ｂ）に示す突条１３５ｂは、先端縁が波状に起伏する形状となっており、図２３（ｃ）に示す突条１３５ｃは、先端縁が谷山状に起伏する形状となっている。
【００７０】
図２３（ｄ）〜図２３（ｆ）に示す当接部１３２ｄ〜１３２ｆは、折曲片部１３３ｄ〜１３３ｆの内側面（つまみ部側面）に凸部および／または凹部を形成した構成となっている。より具体的には、図２３（ｄ）に示す折曲片部１３３ｄの内側面は、エンボス加工を施すことにより、多数の凹凸よりなる凹凸面部１３５ｄとなっている。図２３（ｅ）に示す折曲片部１３３ｅの内側面は、折曲片部１３３ｅの長さ方向（折れ線方向）に沿って複数のスリットを設けることにより、凹凸面部１３５ｅが形成されている。なお、スリットにかえて、あるいはこれとあわせて、折曲片部１３３ｅの内側面より突出する突条を設けるようにしてもよい。図２３（ｆ）に示す折曲片部１３３ｆの内側面は、格子状に凹凸処理された形状を有する凹凸面部１３５ｆとなっている。
【００７１】
さらには、上記以外にも、例えば折曲片部の内側面にサンド状の表面処理を施したもの（塗布やエッチング加工によるもの等）や、あるいは、折曲片部の内側面に処理を施さないようにした態様も可能である。
【００７２】
（８）
アームとしては、上記実施例に係るアーム１０のような丸棒状のものや、上記変形例（５）に係るアーム８１０のような角柱状のもの以外にも、例えば断面概略Ｔ字形状のもの、断面概略Ｈ字形状のもの等、各種の形状のものを用いることができる。また、中実のものであっても中空（管状）のものであってもよい。さらにまた、入れ子構造等により伸縮可能としたアームとしてもよい。
【００７３】
以上本発明の実施例および各変形例によれば、消炎剤や薬剤、日焼け止め等の化粧品を被塗布者自身では見えない背に、ムラ無く塗布することが可能になる。
【００７４】
（９）
また、上記実施例および各変形例では集中部２２０の本体部分と握持部側のアーム１０とは上述のように一体で配置されているが、例えば図２４に示すように、集中部２２０の本体部分と握持部１１側および延在部１４側のアーム１０とを、破線Ａ２で示すように径方向に平行な切断面に沿って切り離し、双方を軸方向に連結軸２９５で回動可能に連結する。なお、延在部１４側のアーム１０は、集中部２２０の本体部分と切り離さず一体のままとしてもよい。即ち、少なくとも集中部２２０の本体部分と握持部１１側のアーム１０とを切り離す構成とすればよい。このように集中部２２０と握持部側のアーム１０とを回動可能（または揺動可能）に構成することで、矢印Ａ３で示すように握持部１１に対して台座部２２２を（首振り状に）左右方向に２次元的に回動させ、塗布部材３００を被塗布者の肌の曲面に滑らかに密着させることを可能にする。なお上記各実施例は、例示的なものであり限定するものではない。本発明の範囲は、添付特許請求の範囲に示される。
【産業上の利用可能性】
【００７５】
本発明は、例えば薬剤または化粧品を塗布する薬剤塗布具、薬剤塗布用キットおよび薬剤塗布具用押圧具に適用することが可能である。
【符号の説明】
【００７６】
10...アーム、11...握持部、14...延在部、100...薬剤塗布具、102...薬剤塗布具、130...押圧具、132...当接部、134...通り抜け穴、136...保持板、137...穴、138...つまみ部、200...塗布具本体、222...台座部、232...溝、234...押さえピン、235...穴、262...反発具（キックバネ）、265...取付け穴、268...取付け軸、270...反発具用穴、280...保持部材、282...ベース部、284...保持部、286...固定用穴、287...留め具、290...軸、292...反発具（キックバネ）、292a〜292c...反発具（板バネ）、293...留め具、294...反発具（板バネ）、296...反発具（板バネ）、300...塗布部材、400...補助アーム、412...雄ネジ、414...雌ネジ
【要約】
【課題】処理用品を着脱自在に保持可能であって、かつ処理用品の塗布に使用する有効面積を可能な限り大きくすることが可能な薬剤塗布具を提供する。
【解決手段】長手方向に延び、一端部側を握持部１１とするアーム１０と、アーム１０の長手方向にほぼ平行してアーム１０に配置された台座部２２２と、を備える薬剤塗布具１００において、台座部２２２に塗布部材３００を着脱可能に保持する一対の押圧具１３０、１３０を設け、一対の押圧具１３０、１３０は塗布部材３００を台座部２２２に当接させる押圧力を発生する反発具２６２、２６２を備える。
【選択図】図１【図１】
0006831141.tif 000002
【図２】
0006831141.tif 000003
【図３】
0006831141.tif 000004
【図４】
0006831141.tif 000005
【図５】
0006831141.tif 000006
【図６】
0006831141.tif 000007
【図７】
0006831141.tif 000008
【図８】
0006831141.tif 000009
【図９】
0006831141.tif 000010
【図１０】
0006831141.tif 000011
【図１１】
0006831141.tif 000012
【図１２】
0006831141.tif 000013
【図１３】
0006831141.tif 000014
【図１４】
0006831141.tif 000015
【図１５】
0006831141.tif 000016
【図１６】
0006831141.tif 000017
【図１７】
0006831141.tif 000018
【図１８】
0006831141.tif 000019
【図１９】
0006831141.tif 000020
【図２０】
0006831141.tif 000021
【図２１】
0006831141.tif 000022
【図２２】
0006831141.tif 000023
【図２３】
0006831141.tif 000024
【図２４】
0006831141.tif 000025